(57)【要約】      （修正有）【課題】操作チャートが高い専門性を有せず、長時間の操作訓練を受けなくとも怪我をしにくいパラシュートを提供する。【解決手段】球状傘２０の外周囲に案内用リング３０を設ける。案内用リングには気流を集める効果があり、集めた気流で案内用リング上方にある補助用傘４０をスムーズに展開させるため、操作経験のないユーザでもスムーズに補助用傘を開くことができる。また、球状傘の中心軸を軸とする回転対称構造であり、降下する際、安定してバランスを取る効果がある。【選択図】図２
2015131504.tif 000002
【特許請求の範囲】
【請求項１】
下降物の降下速度を減速させるパラシュートであって、
中心軸を備え、空気注入孔を有し、前記空気注入孔に栓部を設け、底部は前記中心軸を囲繞して複数の連接部に固設し、前記連接部の他端は前記下降物と結合する球状傘と、
前記中心軸を囲繞して前記球状傘の周囲に固設し、リングと前記球状傘の下方に延在するすそ部を備え、前記リングの底端面に少なくとも３つの気流案内用凹部を成型し、各気流案内用凹部は前記球状傘の上方に気流ダクトを突設して成型し、前記気流ダクトの末端に案内孔を開設し、前記気流ダクトの頂部に少なくとも３つのタンクを成型し、前記タンクの下端面は前記案内孔と連通し、前記案内用リングは前記中心軸を軸とする回転対称構造とする案内用リングと、
それぞれ複数の固定部で各タンク内部と固着する少なくとも３つの補助用傘と、を備えることを特徴とする、
パラシュート。
【請求項２】
前記案内用リングの頂部にさらに固定リングを増設し、前記固定リングは前記中心軸を囲繞して前記球状傘の周囲に固設され、前記固定リング上に少なくとも３つの補助孔を開設し、前記タンクは前記補助孔内に穿設して位置決めをし、前記固定リングは前記球状傘が風抵抗に耐え得る能力を強化することによって、前記球状傘が気圧によって捻じ曲がって変形するのを防止することを特徴とする請求項１に記載のパラシュート。
【請求項３】
前記気流ダクトは可撓性材料で製造された構造であり、前記タンク内にさらに複数の滑り柱、クランプ、及び移動ブロックを増設し、前記滑り柱は前記タンクに穿設され、前記滑り柱は移動端がタンク内に位置し、作動端がタンク外に位置し、前記クランプの一端は弾性部材で前記作動端に固設され、他端は前記気流ダクト周囲に位置し、前記移動ブロックは各前記滑り柱の移動端に固設することを特徴とする請求項１に記載のパラシュート。
【請求項４】
前記補助用傘の固定部は前記滑り柱の移動端に固設され、気流が作動すると、前記固定部は上方向に前記移動端を牽引し、前記作動端が前記弾性部材を押し開いて、前記クランプを動かして前記気流ダクトを収縮させて、気流の通過量を減少させることを特徴とする請求項３に記載のパラシュート。
【請求項５】
前記タンクの中央部にさらに底部環状台座を突設して成型し、前記底部環状台座の周囲に円柱空間を空け、前記気流ダクトを前記円柱空間内に設けることで、前記底部環状台座の頂部の中央が前記案内孔と連通し、前記タンク内に複数の滑り柱、クランプ、及び移動ブロックを設け、前記滑り柱は前記底部環状台座の頂部周囲に穿設され、前記滑り柱の移動端は底部環状台座の上方に位置し、作動端は前記底部環状台座の下方に位置し、前記クランプの一端は回転点により弾性部材と結合させ、前記弾性部材の他端は前記作動端に固設し、前記クランプの他端は前記気流ダクトの周囲に位置させ、前記移動ブロックは各前記滑り柱の移動端に固設することを特徴とする請求項１に記載のパラシュート。
【請求項６】
前記球状傘は可撓性材料で製造された構造であり、その内部に収納用チャンネルを有し、前記収納用チャンネルの球状傘の頂部と底部にそれぞれ頂部開口部と底部開口部を備え、前記パラシュートはさらに貫通柱を増設し、前記貫通柱は前記収納用チャンネルに穿設され、それぞれ頂部クランプと底部クランプで前記頂部開口部と前記底部開口部を密閉して、前記球状傘を固定することで、前記球状傘が気圧によって捻じ曲がって変形するのを防止することを特徴とする請求項１に記載のパラシュート。
【発明の詳細な説明】
【技術分野】
【０００１】
本発明は、人や物が高所から降下する際の緩速降下装置に関する。
【背景技術】
【０００２】
一般的なパラシュートは、開いた傘布を主体とし、周囲に複数の接続ロープを固設し、接続ロープの他端とユーザとを固定し、使用する際、傘布に降下時の風抵抗が増大して降下速度が減速する効果を奏する。
しかし、従来のパラシュートの改良の多くがさらに降下速度を減速させるために、パラシュートの形状を変更して、パラシュートの風抵抗を増大させることに重点が置かれていた。
【先行技術文献】
【特許文献】
【０００３】
【特許文献１】米国特許出願公開第ＵＳ１１８５５３７号公報
【発明の概要】
【発明が解決しようとする課題】
【０００４】
然しながら、前述した従来のパラシュートでは、使用前に長時間の操作訓練が必須であり、さもなければ使用面で極めて怪我をし易いため、訓練を受けたことのないユーザでもどのようにしてパラシュートで高所から降下することができるかが本発明の創作の動機である。
この目的の達成が可能な従来のパラシュートは（特許文献１参照）、自動オープン機能を備え、操作経験のないユーザでもスムーズにパラシュートを開くことができる旨開示しているが、降下の際になおもアンバランスとなる問題があった。
【０００５】
そこで、本発明者は上記の欠点が改善可能と考え、鋭意検討を重ねた結果、合理的かつ効果的に課題を改善する本発明の提案に到った。
【０００６】
本発明は、このような従来の問題に鑑みてなされたものである。上記課題解決のため、本発明は、操作経験のないユーザでも安全且つ安定して降下することができるパラシュートを提供することを主目的とする。
【課題を解決するための手段】
【０００７】
上述した課題を解決し、目的を達成するための本発明に係るパラシュートは、下降物の降下速度を減速させるパラシュートであって、中心軸を備え、空気注入孔を開設し、前記空気注入孔に栓部を設け、底部に前記中心軸を囲繞して複数の連接部に固設し、前記連接部の他端は前記下降物と結合する球状傘と、前記中心軸を囲繞して前記球状傘の周囲に固設し、リングと前記球状傘の下方に延在するすそ部を備え、前記リングの底端面に少なくとも３つの気流案内用凹部を成型し、各気流案内用凹部は前記球状傘の上方に気流ダクトを突設して成型し、前記気流ダクトの末端に案内孔を開設し、前記気流ダクトの頂部に少なくとも３つのタンクを成型し、前記タンクの下端面は前記案内孔と連通し、前記案内用リングは前記中心軸を軸とする回転対称構造とする案内用リングと、それぞれ複数の固定部で各タンク内部と固着する少なくとも３つの補助用傘と、を備えることを特徴とする。
【０００８】
なお、本発明の案内用リングは気流を集める効果を有し、積載した下降物が降下する際、気体は案内用リング下方のすそ部で集められ、気流案内用凹部から気流ダクトに流入し、最終的にタンクから吹き出すため、タンク内の補助用傘は始動時にどんな形態であっても、タンクから吹き出す気流によってスムーズに開く。
また、案内用リングは中心軸を軸とする回転対称構造であることから、降下する際、安定してバランスを取る効果があるので、ユーザは訓練の有無に関係なく、安全且つ安定して降下する目的を達成することができる。
【発明の効果】
【０００９】
本発明によれば、操作経験のないユーザでも安全且つ安定して降下することができる。
【図面の簡単な説明】
【００１０】
【図１】本発明の第１実施形態によるパラシュートが開く時の傾斜の模式図である。
【図２】本発明の第１実施形態によるパラシュートの断面模式図である。
【図３】本発明の第１実施形態によるパラシュートのタンク構造を示す一部の断面図である。
【図４】本発明の第２実施形態によるパラシュートの傾斜の外観図である。
【発明を実施するための形態】
【００１１】
以下に図面を参照して、本発明を実施するための形態について、詳細に説明する。なお、本発明は、以下に説明する実施形態に限定されるものではない。
【実施例１】
【００１２】
本発明の第１実施形態の構成を図１から図３に示す。なお、本発明に係るパラシュートの好適な実施形態は図１から４のように、下降物６０の降下速度を減速させ、球状傘２０、案内用リング３０、及び４つの補助用傘４０からなり、球状傘２０は複合纖維素材で製造された可撓性構造で、その内部に密度の低い気体を充満させる。
球状傘２０は中心軸ａ１を備え、球状傘２０の内部は中心軸ａ１の方向に収納用チャンネル２１があり、収納用チャンネル２１は球状傘２０の頂部と底部にそれぞれ頂部開口部２１１と底部開口部２１２がある。収納用チャンネル２１内に貫通柱２２を穿設し、貫通柱２２はそれぞれ頂部クランプ２２１と底部クランプ２２２で頂部開口部２１１と底部開口部２１２を密閉して球状傘２０を固定することによって、球状傘２０が過大な気圧で捻じ曲がって変形するのを防止する。
貫通柱２２は球状傘２０が風抵抗に耐え得る能力を強化し、球状傘２０の底部開口部２１２の周囲に空気注入孔２３を開設する。空気注入孔２３は球状傘２０と底部クランプ２２２を貫通して、空気注入孔２３を密閉する栓部２４を設ける。球状傘２０の底部に中心軸ａ１を囲繞して複数の連接部２５を固設し、連接部２５は高い張力を有するナイロンロープで、他端で下降物６０と結合させる。
【００１３】
案内用リング３０は中心軸ａ１を囲繞して球状傘２０の周囲に固設し、リング３１と球状傘２０下方に延在するすそ部３２を備え、リング３１の底端面に４つの気流案内用凹部３１１を成型し、各気流案内用凹部３１１は球状傘２０の上方に気流ダクト３３を突設して成型する。気流ダクト３３は可撓性材料で製造された構造で、上方に次第に収縮する錐形であり、気流ダクト３３の末端に案内孔３３１を開設して４つのタンク３４を成型し、その中央に補助軸ａ２を備える。
タンク３４の上下は開口部３４１のある円柱形で、タンク３４の中央部に底部環状台座３４６を突設して成型し、底部環状台座３４６の周囲に円柱空間３４７を空け、気流ダクト３３を円柱空間３４７内に設けることで、底部環状台座３４６の頂部の中央部と案内孔３３１とを連通させる。
タンク３４内に複数の滑り柱３５、クランプ３４２、及び移動ブロック３４３を設け、滑り柱３５は底部環状台座３４６の頂部周囲に穿設し、滑り柱３５を移動端３５１で底部環状台座３４６の上方に位置させ、作動端３５２で底部環状台座３４６の下方に位置させる。クランプ３４２の一端は回転点３４８で弾性部材３４４と結合させ、弾性部材３４４の他端は作動端３５２に固設し、クランプ３４２の他端は気流ダクト３３の周囲に位置させる。移動ブロック３４３は各滑り柱３５の移動端３５１に固設する。
案内用リング３０は中心軸ａ１を軸とする回転対称構造で、各タンク３４も補助軸ａ２を軸とする回転対称構造である。案内用リング３０の頂部に固定リング３６を成型し、固定リング３６は中心軸ａ１を囲繞して球状傘２０の周囲に固設する。固定リング３６は球状傘２０が風抵抗に耐え得る能力を強化して、球状傘２０が過大な気圧で捻じ曲がって変形するのを防止する。固定リング３６上に４つの補助孔３６１を開設し、各タンク３４は穿設した上で各補助孔３６１内に位置決めする。
【００１４】
補助用傘４０はそれぞれ複数の高い張力のナイロンロープを固定部４１とし、滑り柱３５の移動端３５１に固設して、各固定部４１は等分に移動端３５１上に固設する。
【００１５】
図１は本発明のパラシュートが降下する際、各補助用傘４０が完全に開いた状態である。ユーザが高所から降下する際、重力により下方へ落下すると、このとき空気が本発明の球状傘２０と案内用リング３０の底部にぶつかることで、降下方向と反対の空気浮力を生じて、減速降下する効果を奏する。
また、図２に示すように、本発明における特設の案内用リング３０には気流を集める効果があり、本発明では積載された下降物６０が下降する際、気体が案内用リング３０下方のすそ部３２で收集され、気流案内用凹部３１１を経て気流ダクト３３に流入して、最終的にタンク３４から吹き出されることから、タンク３４内の補助用傘４０が始動時にどのような形態であっても、タンク３４から吹き出す気流によりスムーズに開いて、空気の浮力が一層増大し、ユーザの降下速度が減速されて、安全に降下する効果が達成される。
【００１６】
案内用リング３０は中心軸ａ１を軸とする回転対称構造であり、補助用傘４０が移動端３５１に固設されても、なおも中心軸ａ１を軸とする回転対称を維持し、各タンク３４と補助用傘４０も補助軸ａ２を軸とする回転対称構造であることから、降下する際、本発明は全体的に安定したバランス効果がある（図１から図３参照）。
また、本発明のタンク３４内には収納空間３４５があるため、補助用傘４０は未使用の際は畳んで、タンク３４の収納空間３４５に收納することができ、見栄えが良いだけでなく、効果的に收納する体積を縮小させる。さらに、本発明は使用面で完全に操作不要なため、下降物６０が生命のない物品でもスムーズに本発明を利用して降下する目的を達することができる。
【００１７】
補助用傘４０が開くと、補助用傘４０の固定部４１に固設された移動端３５１が上方へ移動し、このとき作動端３５２が弾性部材３４４を押し開いて、クランプ３４２が気流ダクト３３を束縮させて、気流ダクト３３を通過する気体が減少するため、本発明のパラシュートの浮力が増大して、降下速度を減速する（図２及び図３参照）。
【実施例２】
【００１８】
図４は本発明の第２実施形態の傾斜外観図である。本例では、パラシュートの外観に若干の相違が見られるに留まり、補助用傘４０Ｂの数は３つである。
本発明の特徴は案内用リング３０Ｂで気流を集める効果であり、補助用傘４０Ｂが吹き出す気流によりスムーズに開いて、案内用リング３０Ｂを中心軸ａ１を軸とする回転対称構造とする。本発明には、降下する際、安定したバランス効果があることから、図のような別の実施形態でも本発明の創作目的を達成することができる。
【００１９】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００２０】
２０    球状傘                      
２１    収納用チャンネル              
２１１  頂部開口部    
２１２  底部開口部                    
２２    貫通柱                      
２２１  頂部クランプ    
２２２  底部クランプ                    
２３    空気注入孔                      
２４    栓部    
２５    連接部    
３０    案内用リング    
３０Ｂ  案内用リング        
３１    リング                          
３１１  気流案内用凹部  
３２    すそ部                          
３３    気流ダクト                  
３３１  案内孔  
３４    タンク                          
３４１  開口部                        
３４２  クランプ  
３４３  移動ブロック                    
３４４  弾性部材              
３４５  収納空間  
３４６  底部環状台座                  
３４７  円柱空間              
３４８  回転点  
３５    滑り柱                          
３５１  移動端                      
３５２  作動端  
３６    固定リング                    
３６１  補助孔  
４０    補助用傘  
４０Ｂ  補助用傘
４１    固定部  
６０    下降物  
ａ１    中心軸                    
ａ２    補助軸
【図１】
2015131504.tif 000003
【図２】
2015131504.tif 000004
【図３】
2015131504.tif 000005
【図４】
2015131504.tif 000006
【手続補正書】
【提出日】平成26年12月17日(2014.12.17)
【手続補正１】
【補正対象書類名】特許請求の範囲
【補正対象項目名】全文
【補正方法】変更
【補正の内容】
【特許請求の範囲】
【請求項１】
下降物の降下速度を減速させるパラシュートであって、
中心軸を備え、空気注入孔を有し、前記空気注入孔に栓部を設け、底部は前記中心軸を囲繞して複数の連接部に固設し、前記連接部の他端は前記下降物と結合する球状傘と、
前記中心軸を囲繞して前記球状傘の周囲に固設し、リングと前記球状傘の下方に延在するすそ部を備え、前記リングの底端面に少なくとも３つの気流案内用凹部を成型し、各気流案内用凹部は前記球状傘の上方に気流ダクトを突設して成型し、前記気流ダクトの末端に案内孔を開設し、前記気流ダクトの頂部に少なくとも３つのタンクを成型し、前記タンクの下端面は前記案内孔と連通し、前記中心軸を軸とする回転対称構造である案内用リングと、
それぞれ複数の固定部で各タンク内部と固着する少なくとも３つの補助用傘と、を備えることを特徴とする、
パラシュート。
【請求項２】
前記案内用リングの頂部にさらに固定リングを増設し、前記固定リングは前記中心軸を囲繞して前記球状傘の周囲に固設され、前記固定リング上に少なくとも３つの補助孔を開設し、前記タンクは前記補助孔内に穿設して位置決めをし、前記固定リングは前記球状傘が風抵抗に耐え得る能力を強化することによって、前記球状傘が気圧によって捻じ曲がって変形するのを防止することを特徴とする請求項１に記載のパラシュート。
【請求項３】
前記気流ダクトは可撓性材料で製造された構造であり、前記タンク内にさらに複数の滑り柱、クランプ、及び移動ブロックを増設し、前記滑り柱は前記タンクに穿設され、前記滑り柱は移動端がタンク内に位置し、作動端がタンク外に位置し、前記クランプの一端は弾性部材で前記作動端に固設され、他端は前記気流ダクト周囲に位置し、前記移動ブロックは各前記滑り柱の移動端に固設することを特徴とする請求項１に記載のパラシュート。
【請求項４】
前記補助用傘の固定部は前記滑り柱の移動端に固設され、気流が作動すると、前記固定部は上方向に前記移動端を牽引し、前記作動端が前記弾性部材を押し開いて、前記クランプを動かして前記気流ダクトを収縮させて、気流の通過量を減少させることを特徴とする請求項３に記載のパラシュート。
【請求項５】
前記タンクの中央部にさらに底部環状台座を突設して成型し、前記底部環状台座の周囲に円柱空間を空け、前記気流ダクトを前記円柱空間内に設けることで、前記底部環状台座の頂部の中央が前記案内孔と連通し、前記タンク内に複数の滑り柱、クランプ、及び移動ブロックを設け、前記滑り柱は前記底部環状台座の頂部周囲に穿設され、前記滑り柱の移動端は底部環状台座の上方に位置し、作動端は前記底部環状台座の下方に位置し、前記クランプの一端は回転点により弾性部材と結合させ、前記弾性部材の他端は前記作動端に固設し、前記クランプの他端は前記気流ダクトの周囲に位置させ、前記移動ブロックは各前記滑り柱の移動端に固設することを特徴とする請求項１に記載のパラシュート。
【請求項６】
前記球状傘は可撓性材料で製造された構造であり、その内部に収納用チャンネルを有し、前記収納用チャンネルの球状傘の頂部と底部にそれぞれ頂部開口部と底部開口部を備え、前記パラシュートはさらに貫通柱を増設し、前記貫通柱は前記収納用チャンネルに穿設され、それぞれ頂部クランプと底部クランプで前記頂部開口部と前記底部開口部を密閉して、前記球状傘を固定することで、前記球状傘が気圧によって捻じ曲がって変形するのを防止することを特徴とする請求項１に記載のパラシュート。